(57)【要約】      （修正有）【課題】簡単な構成で、レジ袋を利用することにより、集めた塵やゴミをそのレジ袋へ簡単に詰めることができるちりとりを提供する。【解決手段】塵やゴミを受けるゴミ受け部１０１の後方の後壁部１０４に開口部１０５を設け、前記ゴミ受け部の左右の右側壁部１０２および左側壁部１０３の外側に、レジ袋の手持ち用の輪の部分を引っ掛けて前方にその輪の部分を付勢し前記レジ袋の開口部を前記後壁部に密着させるようにするフック部分１２０，１３０を備える。また、前記ゴミ受け部の裏側の底面に、レジ袋の開口部の下側の縁が入るような溝部を有する底面フック部分を設け、前記ゴミ受け部の後方の後壁部の開口部の上側に、レジ袋の開口部の上側部分を引っ掛ける後面ストッパー部１５０を設け、前記右側壁部および左側壁部の外側の後部に、レジ袋の手持ち用の輪の部分をガイドするストッパー部１４１，１４２を設けるようにしてもよい。【選択図】図２
0003107507.tif 000002
【実用新案登録請求の範囲】
【請求項１】
塵やゴミを受けるゴミ受け部の後方の後壁部に開口部を設け、
前記ゴミ受け部の左右の右側壁部および左側壁部の外側に、レジ袋の手持ち用の輪の部分を引っ掛けて前方にその輪の部分を付勢し前記レジ袋の開口部を前記後壁部に密着させるようにするフック部分を備えたことを特徴とするちりとり。
【請求項２】
請求項１に記載のちりとりにおいて、
前記フック部分は、前記レジ袋の手持ち用の輪の部分を引っ掛けるピン部分と、該ピン部分を固着した移動体と、該移動体をちりとりの前方にのみ移動できるように移動方向を制限する移動方向制限手段とを含むことを特徴とするちりとり。
【請求項３】
請求項１または２に記載のちりとりにおいて、
前記ゴミ受け部の裏側の底面に、レジ袋の開口部の下側の縁が入るような溝部を有する底面フック部分を設け、
前記ゴミ受け部の後方の後壁部の開口部の上側に、レジ袋の開口部の上側部分を引っ掛ける後面ストッパー部を設け、
前記右側壁部および左側壁部の外側の後部に、レジ袋の手持ち用の輪の部分をガイドするストッパー部を設けたことを特徴とするちりとり。
【考案の詳細な説明】
【技術分野】
【０００１】
本考案は、集めた塵やゴミを簡単に袋に詰めることができるちりとりに関する。
【背景技術】
【０００２】
従来より、下記特許文献１〜３あるいは非特許文献１〜３に記載されたような、集めた塵やゴミを簡単に袋に詰めることができる仕組みを備えたちりとりが知られている。
【特許文献１】特開２０００−２０１８７８公報
【特許文献２】特開平１１−２４４２１２号公報
【特許文献３】特開平９−１０８１５７号公報
【非特許文献１】実用新案登録第３０５７４６２号公報
【非特許文献２】実用新案登録第３０２８８５７号公報
【非特許文献３】実用新案登録第３０４０４５３号公報
【考案の開示】
【考案が解決しようとする課題】
【０００３】
上述した従来のちりとりでは、塵やゴミを簡単に袋へ詰めるための仕組みが複雑であったり、あるいはスーパーなどで買い物をしたときに貰えるいわゆるレジ袋を使うための工夫はなされていなかった。
【０００４】
この考案は、簡単な構成で、レジ袋を利用することにより、集めた塵やゴミをそのレジ袋へ簡単に詰めることができるちりとりを提供することを目的とする。
【課題を解決するための手段】
【０００５】
上記の目的を達成するため、本考案は、塵やゴミを受けるゴミ受け部の後方の後壁部に開口部を設け、前記ゴミ受け部の左右の右側壁部および左側壁部の外側に、レジ袋の手持ち用の輪の部分を引っ掛けて前方にその輪の部分を付勢し前記レジ袋の開口部を前記後壁部に密着させるようにするフック部分を備えたことを特徴とするものである。
【０００６】
例えば、前記フック部分は、前記レジ袋の手持ち用の輪の部分を引っ掛けるピン部分と、該ピン部分を固着した移動体と、該移動体をちりとりの前方にのみ移動できるように移動方向を制限する移動方向制限手段とを含むようにする。また、前記ゴミ受け部の裏側の底面に、レジ袋の開口部の下側の縁が入るような溝部を有する底面フック部分を設け、前記ゴミ受け部の後方の後壁部の開口部の上側に、レジ袋の開口部の上側部分を引っ掛ける後面ストッパー部を設け、前記右側壁部および左側壁部の外側の後部に、レジ袋の手持ち用の輪の部分をガイドするストッパー部を設けるようにしてもよい。
【考案の効果】
【０００７】
本考案によれば、簡単な構成で、スーパーなどでもらえるレジ袋を利用することにより、集めた塵やゴミをそのレジ袋へ簡単に詰めることができるちりとりが提供される。レジ袋のちりとりへの装着も容易に行える。
【考案を実施するための最良の形態】
【０００８】
以下、本考案を実施する一形態例を説明する。
【０００９】
図１（ａ）は、本考案の一実施形態に係るちりとりの斜視図である。図１（ｂ）は、図１（ａ）のちりとりにレジ袋を装着した様子を示す斜視図である。図２は図１のちりとりの上面図、図３は左側面図、図４は後面図、図５は底面図を、それぞれ示す。これらの図において、同じ番号は同じものを示す。１０１は塵やゴミを受けるゴミ受け部、１０２，１０３はゴミ受け部１０１に集めた塵やゴミがこぼれ落ちないようにする右側壁部および左側壁部を示す。１０４は後壁部、１０５は後壁部１０４に開けられた開口部、１０６は取っ手部をそれぞれ示す。
【００１０】
図２の上面図や図５の底面図に明らかに示されている１２０および１３０は、右側壁部１０２および左側壁部１０３の外側にそれぞれ固着された自在スライド式フック部分を示す。図６に、自在スライド式フック部分１３０の拡大図を示す。自在スライド式フック部分１２０の構成も左右が逆である他は同じである。１２１は、左側壁部１０３に固着される台座部分１２１を示す。台座部分１２１の中心線付近に沿って外側に突出部１２２が突出しその端部に鋸歯状部１２３が形成されている。これにより、台座部分１２１と突出部１２２と鋸歯状部１２３は、断面がエの字型を形成する。
【００１１】
図６（ｂ）は、移動体１２４を示す。移動体１２４は、上記台座部分１２１と突出部１２２と鋸歯状部１２３で形成されるエの字型の断面の左右の溝部分にはまりこむ腕部分１２７を備えている。図６（ａ）に示すように、移動体１２４の中空部分１２８に上記鋸歯状部１２３が貫通する。移動体１２４は、鋸歯状部１２３の各歯と噛み合って矢印Ａの方向にのみ移動可能とするようなツメ部１２６を備えている。これにより、移動体１２４は、Ｂ側から鋸歯状部１２３にはめ込み、矢印Ａ方向にのみ移動でき、Ｃ側から取り外すことができる。また移動体１２４にはＵ字型のピン１２５が固着されている。右側壁部１０２に固着されている自在スライド式フック部分１２０の構成も同様である。
【００１２】
図１から図５において、１４１は右側壁部１０２の後部側に固着されたストッパー部を示す。同様のストッパー部１４２が左側壁部１０３の後部に固着されている。図７は、左側壁部１０３の後部に固着されたストッパー部１４２の拡大図を示す。
【００１３】
図１から図５において、１５０は後壁部１０４の外側の取っ手部１０６の下付近に固着された後面ストッパー部を示す。後面ストッパー部１５０は、レジ袋１９０の開口部の縁部分を入れるための溝１５１を備えている。図８は、後面ストッパー部１５０の拡大図を示す。
【００１４】
図１から図５において、１６１は底面フック部分を示す。図９は、図５の底面図におけるＸ−Ｘ’，Ｙ−Ｙ’，Ｚ−Ｚ’などの位置における底面フック部分１６１の断面を示す。１０１ａは塵やゴミを受ける面、１０１ｂは底面側である。底面フック部分１６１はちりとりの外側に向って開いている溝部１６２を有する。この溝部１６２に、レジ袋１９０の開口部の下側の縁部分を入れることにより塵やゴミが袋の外に出ないようにしている。
【００１５】
図１から図９で説明した本実施形態のちりとりの使用方法を説明する。図１（ｂ）に示すように、スーパーなどで買い物時にもらえるレジ袋１９０をちりとり１００に装着する。具体的には、レジ袋１９０左右の手持ち用の輪の部分をそれぞれ左右の自在スライド式フック部分１２０，１３０のＵ字型ピン１２５に引っ掛け、レジ袋１９０の開口部の下側の縁は底面に固着されている底面フック部分１６１の溝部１６２に入るようにする。また、レジ袋１９０の開口部の上側部分は後面ストッパー部１５０の溝部１５１に入れる。さらに、レジ袋１９０の手持ち用の輪の部分が右および左のストッパー部１４１，１４２の上側になるようにレジ袋１９０を装着する。その後、自在スライド式フック部分１２０，１３０の移動体１２４を矢印Ａの方向に引き、レジ袋１９０をちりとり１００に対して密着させる。以上のようにレジ袋１９０を装着した後、ゴミ受け部１０１に塵やゴミを集め、開口部１０５を通してレジ袋１９０に塵やゴミを入れる。
【００１６】
なお、上記実施形態では図６に示した構造の自在スライド式フック部を用いたが、レジ袋の手持ち用の輪の部分を引っ掛けて前方に付勢するものであれば他の構成としても良い。例えば、Ｕ字型ピンをゴムやバネで前方に付勢するようなものでも良い。また、ちりとりの形、材質、大きさなどは上記実施形態に限ることなく、本考案は、任意の形、材質、大きさのちりとりに適用することができる。
【図面の簡単な説明】
【００１７】
【図１】本考案の一実施形態に係るちりとりの斜視図
【図２】図１のちりとりの上面図
【図３】図１のちりとりの左側面図
【図４】図１のちりとりの後面図
【図５】図１のちりとりの底面図
【図６】自在スライド式フック部分の拡大図
【図７】左側壁部の後部に固着されたストッパー部の拡大図
【図８】後面ストッパー部の拡大図
【図９】底面フック部分の断面図
【符号の説明】
【００１８】
１００…ちりとり、１０１…ゴミ受け部、１０２…右側壁部、１０３…左側壁部、１０４…後壁部、１０５…開口部、１０６…取っ手部、１２０，１３０…自在スライド式フック部分、１４１，１４２…ストッパー部、１５０…後面ストッパー部、１６１…底面フック部分。
【図１】
0003107507.tif 000003
【図２】
0003107507.tif 000004
【図３】
0003107507.tif 000005
【図４】
0003107507.tif 000006
【図５】
0003107507.tif 000007
【図６】
0003107507.tif 000008
【図７】
0003107507.tif 000009
【図８】
0003107507.tif 000010
【図９】
0003107507.tif 000011